(57)【要約】【課題】ベッドを二つに折り畳んだ際でも、折り畳んだ状態のベッド上面に載置可能で、かつ、マットレス本体を所望のサイズにコンパクトに折り畳むことができ、収納や持ち運び等に優れた効果を発揮する折り畳みベッド用マットレスを提供する。【解決手段】中央部より二つに折り畳むことが可能な折り畳み式ベッドに敷設するマットレスにおいて、該マットレス本体２が、二つ折りに折り畳んだ状態のベッド２０の厚みに適合する一対の切れ込み部５、６を有する。前記マットレス本体２の長手方向の端部７、８と前記切れ込み部５、６との間に、少なくとも一箇所以上の切れ込み部９、１０を有する。【選択図】図１
0003124468.tif 000002
【実用新案登録請求の範囲】
【請求項１】
中央部より二つに折り畳むことが可能な折り畳み式ベッドに敷設するマットレスにおいて、前記マットレス本体が、二つに折り畳んだ状態のベッドの厚みに適合する一対の切れ込み部を有することを特徴とする折り畳みベッド用マットレス。
【請求項２】
前記マットレス本体の長手方向の端部と前記切れ込み部との間に、少なくとも一箇所以上の切れ込み部を有する請求項１記載の折り畳みベッド用マットレス。
【考案の詳細な説明】
【技術分野】
【０００１】
本考案は、二つに折り畳むことが可能な折り畳み式のベッドに敷設して使用する折り畳みベッド用マットレスに関し、特には、収納や持ち運び等に優れた効果を発揮する折り畳みベッド用マットレスに関する。
【背景技術】
【０００２】
従来、一体型の家具調ベッドの他、不使用時には中央部より二つに折り畳むことが可能でコンパクトに収納できる、移動可能な折り畳み式のベッドが広く知られており、このような折り畳み式ベッドに使用するマットレスとして、通気性およびクッション性の良好なウレタン等の緩衝材を中材とするマットレスや、スプリングを介在させた構造により更にクッション性の向上を図ったマットレスが市販されている。
【０００３】
また、折り畳みベッドへの使用に適し、厚さ方向両側への折り畳み可能な折り畳みマットレスが報告されている（例えば、特許文献１参照）。
【特許文献１】特開２００１−１９７９６４号公報
【考案の開示】
【考案が解決しようとする課題】
【０００４】
上記ウレタン等の緩衝材を中材とするマットレスやスプリングを介在させた構造のマットレスは矩形状を呈しており、ベッドを折り畳んで収納する際にはベッドから片付ける必要があった。また、上掲特許文献１の折り畳みマットレスにおいては、厚さ方向両側への折り畳みが可能であるが、二つに折り畳むことはできても、折り畳んだマットレスをベッドから片付けなければならない点は従来と同様であった。さらに、二つに折り畳んでもコンパクトになるとはいえず、持ち運びや収納時に不都合なことが問題であった。
【０００５】
そこで本考案の目的は、ベッドを二つに折り畳んだ際でも、折り畳んだ状態のベッド上面に載置可能で、かつ、マットレス本体を所望のサイズにコンパクトに折り畳むことができ、収納や持ち運び等に優れた効果を発揮する折り畳みベッド用マットレスを提供することにある。
【課題を解決するための手段】
【０００６】
本考案者は、上記課題を解決すべく鋭意検討した結果、マットレス本体に複数の切れ込み部を設けることにより上記目的を達成し得ることを見出し、本考案を完成するに至った。
【０００７】
即ち、本考案の折り畳みベッド用マットレスは、中央部より二つに折り畳むことが可能な折り畳み式ベッドに敷設するマットレスにおいて、該マットレス本体が、二つに折り畳んだ状態のベッドの厚みに適合する一対の切れ込み部を有することを特徴とするものである。また、本考案の折り畳みベッド用マットレスは、前記マットレス本体の長手方向の端部と前記切れ込み部との間に、少なくとも一箇所以上の切れ込み部を有する折り畳みベッド用マットレスである。
【考案の効果】
【０００８】
本考案の折り畳みベッド用マットレスによれば、二つに折り畳んだ状態のベッドの厚みに適合する一対の切れ込み部を有することにより、収納や移動する際にベッドを折り畳んでも、折り畳んだ状態のベッド上にそのままマットレスを載置することができる。また、前記マットレス本体の長手方向の端部と前記切れ込み部との間に、少なくとも一箇所以上の切れ込み部を有することにより、マットレスを所望のサイズにコンパクトに折り畳むことが可能となる。
【考案を実施するための最良の形態】
【０００９】
以下、本考案における折り畳みベッド用マットレスの実施の形態を図面に基づいて説明する。
図示する折り畳みベッド用マットレス１は、ベッド上面に敷設するものである。
【００１０】
折り畳みベッド用マットレス１のマットレス本体２は、一般的なシングルサイズのベッドに適合するサイズであり、幅約９０ｃｍ、長さ約２００ｃｍ、厚さ約５ｃｍの矩形状を呈している。マットレス本体２は、上半身部、中央部、下半身部の夫々の中材３をカバー材４で被覆してなる。中材３には緩衝性を有する発泡ウレタンを好適に用いることができる。尚、マットレス本体２は、ジュニアサイズ、ダブルサイズ、キングサイズ等、多様なサイズのマットレスであってもよく、上記サイズに限定されるものではない。
【００１１】
マットレス本体２は、図２に示す二つに折り畳んだ状態のベッド２０の厚みｄ に適合する一対の切れ込み部５、６を有する。マットレス本体２は、上半身部、中央部、下半身部の夫々の中材３の相互の接触面において切れ込み部５、６を介してカバー材４により被覆され、かつ、マットレス本体２底面においては切れ込み部５、６の延長部分がカバー材４により連結されている。このため、図１の（ｂ）に示すように、マットレス本体２は縦方向にコ字状に折曲することができる。
【００１２】
切れ込み部５、６間は、二つに折り畳んだ状態のベッド２０の厚みｄと略同一の幅、例えば、２０〜３０ｃｍの幅を形成するように設けられている。
【００１３】
切れ込み部５、６を設けたことにより、図２に示すように、ベッド２０を二つに折り畳んだ状態で収納または移動する際、ベッド２０の縦方向の形状に沿ってマットレス本体２を載置することができる。
【００１４】
また、図３の（ｂ）に示すように、マットレスの一端部８を切れ込み部６より内側方向に折り畳むことが可能で、マットレス自体の収納や運搬が容易となる。
【００１５】
本考案の折り畳みベッド用マットレスの他の好適一実施形態として、切れ込み部５、６およびマットレス端部７、８間に、少なくとも一箇所以上の切れ込み部を設けることが好ましい。
【００１６】
切れ込み部として、例えば、図４の（ａ）に示すように、切れ込み部５と端部７との略中間部に、下方より切れ込みされ上部で連結された切れ込み部９と、切れ込み部６と端部８との略中間部に、下方より切れ込みされ上部で連結された切れ込み部１０を夫々設ける。かかる切れ込み部９、１０を設けることにより、（ｂ）に示すように、両端部７、８を切れ込み部９、１０より内側方向に折り畳むことができる。また、（ｃ）に示すように、一方の積層部を切れ込み部６より内側方向に折り込むことで、マットレス本体２をよりコンパクトに折り畳むことが可能になる。
【００１７】
また、本考案の折り畳みベッド用マットレスの他の好適一実施形態として、図５の（ａ）に示すように、切れ込み部５と端部７との間であって略三等分する箇所に、下方より切れ込みされ上部で連結された切れ込み部１１、および上方より切れ込みされ下部で連結された切れ込み部１２とを設け、さらに切れ込み部６と端部８との間であって略三等分する箇所に、上方より切れ込みされ下部で連結された切れ込み部１３と、下方より切れ込みされ上部で連結された切れ込み部１４とを夫々設ける。かかる切れ込み部１１、１２、１３、１４を設けることにより、（ｂ）に示すように、両端部７、８を切れ込み部１１、１４より内側に折り畳み、次に（ｃ）に示すように、両端の積層部分を切れ込み部１２、１３より内側に折り畳み、さらに（ｄ）示すように、三層に積層された両端の積層部分を切れ込み部５、６より垂直方向に折り畳むことで、マットレス本体２を一層コンパクトに形成することができる。
【図面の簡単な説明】
【００１８】
【図１】（ａ）は本考案の折り畳みベッド用マットレスの全体斜視図、（ｂ）は垂直状態に折曲した状態を表す図である。
【図２】折り畳んだベッドにマットレス本体を載置した状態を表す図である。
【図３】マットレス本体を折り畳む状態の側面図である。
【図４】他の好適例であるマットレス本体を折り畳む状態の側面図である。
【図５】他の好適例であるマットレス本体を折り畳む状態の側面図である。
【符号の説明】
【００１９】
１    折り畳みベッド用マットレス
２    マットレス本体
３    中材
４    カバー本体
５    切れ込み
６    切れ込み
７    端部
８    端部
９    切れ込み
１０  切れ込み
１１  切れ込み
１２  切れ込み
１３  切れ込み
１４  切れ込み
２０  ベッド
ｄ    厚み
【図１】
0003124468.tif 000003
【図２】
0003124468.tif 000004
【図３】
0003124468.tif 000005
【図４】
0003124468.tif 000006
【図５】
0003124468.tif 000007